(57)【要約】【課題】クリーニング品の引き取り時に顧客がレシート片を容易に見つけ出すことができ、しかも、顧客がレシート片を誤って捨ててしまうことを防止できるレシート用紙を提供する。【解決手段】レシート用紙１は、印字面５を表面に有する長手状のレシート用紙本体６を備えている。レシート用紙本体６の裏面における幅方向の両端部には、顧客に手渡すレシート片が預かり証であることを示す預かり証用表示７を設ける。預かり証用表示７は、レシート用紙本体６の裏面における幅方向の両端部に予めカラー印刷によって設けたカラー印刷表示部10である。【選択図】図１
2014102552.tif 000002
【特許請求の範囲】
【請求項１】
クリーニング品の預かり時に、一部が切り離されてレシート片として顧客に渡されるレシート用紙であって、
前記クリーニング品に関する情報が表面に印字される長手状のレシート用紙本体と、
このレシート用紙本体の裏面における幅方向の両端部に設けられ、前記レシート片が預かり証であることを示す預かり証用表示と
を備えることを特徴とするレシート用紙。
【請求項２】
預かり証用表示は、レシート用紙本体の長手方向に並んで位置するように複数設けられている
ことを特徴とする請求項１記載のレシート用紙。
【請求項３】
複数の預かり証用表示の各々は、レシート用紙本体の裏面における幅方向の両端部に予めカラー印刷されたカラー印刷表示部にて構成され、
前記カラー印刷表示部は、
前記レシート用紙本体の長手方向に沿った長手状で、前記レシート用紙本体の色とは異なる色の色帯状部分と、
この色帯状部分内に位置する文字部分とを有する
ことを特徴とする請求項２記載のレシート用紙。
【請求項４】
カラー印刷表示部の色帯状部分の外側縁が、レシート用紙本体の裏面における幅方向端縁上に位置する
ことを特徴とする請求項３記載のレシート用紙。
【発明の詳細な説明】
【技術分野】
【０００１】
本発明は、クリーニング品の預かり時に、一部が切り離されてレシート片として顧客に渡されるレシート用紙に関するものである。
【背景技術】
【０００２】
従来、例えば、下記の特許文献１に記載されているように、クリーニング店において、店員は、顧客からのクリーニング品（例えばズボン、ワイシャツ、スカート等）の預かり時に、ＰＯＳレジスタ等のレジスター装置を操作し、クリーニング品に関する情報（例えば伝票番号、顧客番号、品名および金額等）が表面に印字された預かり伝票であるレシート片を打ち出し、この打ち出したレシート片を預かり証として顧客に手渡す。
【０００３】
ここで、例えばクリーニング店に設置されたレジスター装置の用紙収納部にはレシート用紙が収納されており、顧客からの注文に応じて店員がレジスター装置の操作部を操作すると、クリーニング品に関する情報が印字された後、レシート用紙の一部が所望長さで切り離されてレシート片となり、このレシート片が顧客に渡される。
【０００４】
そして、この顧客に渡された預かり証を兼ねたレシート片の表面である印字面には、クリーニング品に関する情報（領収書情報）が印字されているが、その印字面とは反対側の裏面は、通常、白紙のままである。
【先行技術文献】
【特許文献】
【０００５】
【特許文献１】特開２０１２−１０５７３１号公報（図５等）
【発明の概要】
【発明が解決しようとする課題】
【０００６】
このため、例えばクリーニング品の引き取り時において、顧客が預かり証であるレシート片を財布の中から取り出そうとしたときに、財布に多くの他のレシート等が重なって入っていると、その顧客は、預かり証であるレシート片を見つけるのに手間取ってしまう。例えば複数人の顧客が同じ時間帯に引き取りのために来店したような場合には、最初の顧客が預かり証であるレシート片を見つけるのに手間取り、時間を要すると、その間、残りの顧客は待たなければならない。
【０００７】
また、例えばクリーニング品の引き取りの際に必要であるにもかかわらず、顧客が預かり証であるレシート片を誤って捨ててしまうおそれがある。
【０００８】
本発明は、このような点に鑑みなされたもので、クリーニング品の引き取り時に顧客が預かり証であるレシート片を財布の中から容易に見つけ出すことができ、しかも、顧客が預かり証であるレシート片を誤って捨ててしまうことを防止できるレシート用紙を提供することを目的とする。
【課題を解決するための手段】
【０００９】
請求項１記載のレシート用紙は、クリーニング品の預かり時に、一部が切り離されてレシート片として顧客に渡されるレシート用紙であって、前記クリーニング品に関する情報が表面に印字される長手状のレシート用紙本体と、このレシート用紙本体の裏面における幅方向の両端部に設けられ、前記レシート片が預かり証であることを示す預かり証用表示とを備えるものである。
【００１０】
請求項２記載のレシート用紙は、請求項１記載のレシート用紙において、預かり証用表示は、レシート用紙本体の長手方向に並んで位置するように複数設けられているものである。
【００１１】
請求項３記載のレシート用紙は、請求項２記載のレシート用紙において、複数の預かり証用表示の各々は、レシート用紙本体の裏面における幅方向の両端部に予めカラー印刷されたカラー印刷表示部にて構成され、前記カラー印刷表示部は、前記レシート用紙本体の長手方向に沿った長手状で、前記レシート用紙本体の色とは異なる色の色帯状部分と、この色帯状部分内に位置する文字部分とを有するものである。
【００１２】
請求項４記載のレシート用紙は、請求項３記載のレシート用紙において、カラー印刷表示部の色帯状部分の外側縁が、レシート用紙本体の裏面における幅方向端縁上に位置するものである。
【発明の効果】
【００１３】
本発明によれば、レシート用紙の一部からなるレシート片を受け取った顧客は、裏面側の預かり証用表示を見ることにより、レシート片が預かり証であることを容易に分かるため、クリーニング品の引き取り時に顧客が預かり証であるレシート片を財布の中から容易に見つけ出すことができ、しかも、顧客が預かり証であるレシート片を誤って捨ててしまうことを防止できる。
【図面の簡単な説明】
【００１４】
【図１】本発明の一実施の形態に係るレシート用紙がロール状に巻かれた状態を示す斜視図である。
【図２】同上レシート用紙の一部が切り離されて形成されたレシート片の表面図である。
【図３】同上レシート片の裏面図である。
【図４】同上レシート片が財布に他のレシート等とともに入れられた状態を示す斜視図である。
【発明を実施するための形態】
【００１５】
本発明の一実施の形態について図面を参照して説明する。
【００１６】
図１において、１はレシート用紙で、このレシート用紙１は、例えばサーマルロール紙からなり、円筒状の芯材である筒状体２の外周面に所定長さがロール状に巻かれた状態となっている。つまり、所定長さのレシート用紙１は、筒状体２の外周面に巻戻し自在にロール状に巻かれている。
【００１７】
そして、この図１に示されたロール状のレシート用紙１は、主としてクリーニング店で使用されるものであって、クリーニング店に来客した顧客からのクリーニング品（例えばズボン、ワイシャツ、スカート等）の預かり時に、このレシート用紙１の一部が所望長さで切り離されて預かり伝票であるレシート片３として顧客に渡される。
【００１８】
すなわち例えば、このロール状のレシート用紙１は、クリーニング店に設置されたＰＯＳレジスタ等のレジスター装置（金銭登録機）の用紙収納部に収納されて使用されるものである。
【００１９】
このレジスター装置は、ロール状のレシート用紙１が収納された用紙収納部のほか、例えばクリーニング店の店員が操作する操作表示部であるタッチパネル部と、金銭が収納された金銭収納部と、預かったクリーニング品に関する所定の情報である領収書情報をレシート用紙１の表面に発熱により印字するプリンタ部と、このプリンタ部で印字されたレシート用紙１の一部を所望長さで切り離してレシート片３を形成する用紙切断部とを備えている。
【００２０】
なお、プリンタ部によって印字される領収書情報は、例えば伝票番号、顧客番号、クリーニング品の品名、その金額、合計金額、顧客氏名、領収書発行日時、および領収書発行店名等である（図２参照）。
【００２１】
ここで、レシート用紙１は、図１ないし図４に示されるように、顧客からのクリーニング品の預かり時にレジスター装置のプリンタ部によってクリーニング品に関する所定の情報である領収書情報が表面に印字される長手状のレシート用紙本体６と、このレシート用紙本体６の裏面における幅方向（短手方向）の両端部にこのレシート用紙本体６の長手方向に並んで位置するように複数設けられ、顧客に渡されたレシート片３がクリーニング品の預かり証であることを示す表示部である預かり証用表示７とを備えている。
【００２２】
レシート用紙本体６は、図１に示すように、一定の幅寸法ａを有した所定長さの可撓性のシート状部材にて構成され、筒状体２の外周面に巻戻し自在にロール状に巻かれている。また、レシート用紙本体６は、任意位置でレジスター装置の用紙切断部によって切断可能である。そして、レシート用紙本体６は、表面に印字面５を有し、この印字面５には、顧客からのクリーニング品の預かり時に、レジスター装置のプリンタ部によってクリーニング品に関する所定の情報である領収書情報が印字される。図２にその領収書情報を一例を示す。
【００２３】
複数の預かり証用表示７は、レシート用紙本体６の裏面における幅方向両端部の位置において、レシート用紙本体６の長手方向に並んでいるが、この長手方向に互いに隣り合う預かり証用表示７間には少しの間隔８がある。
【００２４】
そして、レシート用紙本体６の長手方向に等しい間隔８をおいて並ぶ２列状の複数の預かり証用表示７の各々は、レシート用紙本体６の裏面における幅方向の両端部のみに予めカラー印刷されたカラー印刷表示部10にて構成されている。つまり、識別用表示である預かり証用表示７は、レシート用紙１がレジスター装置の用紙収納部に収納される前の段階において、例えば用紙製造時に印刷工場で印刷機によってレシート用紙本体（レシート基材）６の裏面に予めカラー印刷されたカラー印刷表示部10のみによって構成されている。
【００２５】
この各カラー印刷表示部10は、レシート用紙本体６の長手方向に沿った長手状で、レシート用紙本体６の地色である白色とは異なるカラー色の色帯状部分11と、レシート用紙本体６の地色である白色と同じ色で、この色帯状部分11内に位置する複数の文字部分12とを有している。換言すると、各カラー印刷表示部10は、すべて同じ表示であって、カラー色の色帯状部分11を背景にした白抜きの文字部分12からなるものである。
【００２６】
色帯状部分11の色は、白色以外の任意であるが、顧客が識別し易い目立つ色が好ましく、例えば濃い橙の一色である。また、色帯状部分11の外側縁は、レシート用紙本体６の裏面における幅方向端縁上に位置している。さらに、色帯状部分11は、一定の幅寸法ｂを有した所定長さのもので、その幅寸法ｂは、例えばレシート用紙本体６の幅寸法ａの７分の１〜６分の１である。なお、幅寸法ａは例えば８０ｍｍで、幅寸法ｂは例えば１２ｍｍである。
【００２７】
複数の文字部分12は、レシート片３がクリーニング品の預かり証であることを意味する用語であれば任意であり、例えば色帯状部分11の長手方向に並んだ「クリーニングお預り票」という１０文字である。なお、複数の文字部分12は、レシート片３の幅方向の両端部のうち、どちらの端部を上辺とした場合であっても、自然に読める向きになっている。
【００２８】
また、レシート用紙１は、図１等に示されるように、レシート用紙本体６の裏面における幅方向の中央部にこのレシート用紙本体６の長手方向に並んで位置するように複数設けられた表示部である注意書用表示15を備えている。
【００２９】
複数の注意書用表示15は、レシート用紙本体６の裏面における幅方向中央側の位置において、レシート用紙本体６の長手方向に並んでいるが、この長手方向に互いに隣り合う注意書用表示15間には少しの間隔16がある。
【００３０】
そして、レシート用紙本体６の長手方向に等しい間隔16をおいて並ぶ１列状の複数の注意書用表示15の各々は、預かり証用表示７と同時に同じ色で、レシート用紙本体６の裏面における幅方向の中央部のみに予めカラー印刷されたカラー印刷注意書部17にて構成されている。
【００３１】
この各カラー印刷注意書部17は、図３から明らかなように、互いに離間した左右両側の預かり証用表示７間、つまり、対応する両カラー印刷表示部10間に配設されている。そして、この各カラー印刷注意書部17は、例えば矩形環状の図形部分21と、この図形部分21内に位置する文字部分22と、複数の星記号部分23と、この各星記号部分23に続く文章部分24とを有している。
【００３２】
次に、レシート用紙１の作用等を説明する。
【００３３】
例えば顧客がクリーニング店に来店してクリーニング品を預けた場合、クリーニング店の店員は、クリーニング品の預かり時に、レジスター装置のタッチパネル部の操作に基づいてレシート用紙１の一部が所望長さで切り離されて形成されたレシート片３を、その顧客に対してクリーニング品の預かり証として渡す。なお、顧客は、受け取ったレシート片３を財布に入れる場合が多い。
【００３４】
そして、レシート片３の表面である印字面５には、例えば図２に示すように、クリーニング品に関する所定の情報である領収書情報がレジスター装置のプリンタ部によって発熱により黒色で印字されている。
【００３５】
一方、レシート片３の印字面５側とは反対側の裏面には、例えば図３に示すように、左右両側の預かり証用表示７と、中央側の注意書用表示15とが、それぞれ予めカラー印刷により印字されている。つまり、レシート片３を構成する所望長さのレシート用紙本体６の裏面における幅方向の両端部には預かり証用表示７が設けられ、かつその裏面における幅方向の中央部には注意書用表示15が設けられている。
【００３６】
なお、レシート片３の長さは、クリーニング品の数等によって変動するが、少なくとも左右１対の預かり証用表示７とこれらの間に位置する１つの注意書用表示15とを有する長さである。また、レシート片３が比較的長い場合には、印字面５を内側にして折り曲げる。
【００３７】
そして、例えば後日、出来上がったクリーニング品の引き取りのために、顧客がクリーニング店に来店して、預かり証であるレシート片３を財布の中から取り出そうとした場合、その顧客は、財布の中にレシート片３とともに多くの他のレシート等が重なって入っていたとしても、預かり証であるレシート片３を見つけるのに手間取ることがない。
【００３８】
つまり、図４に示すように、クリーニング品の引き取り時に、顧客は、レシート用紙本体６の裏面に設けられたカラー印刷表示部10である預かり証用表示７を見ることで、レシート片３を他のレシートおよび紙幣等と識別できるため、財布30の中のレシート片３をスムーズに見つけることが可能である。
【００３９】
そして、このように、レシート用紙１の一部からなるレシート片３を受け取った顧客は、裏面側の預かり証用表示７を見ることによって、レシート片３がクリーニング品の預かり証であることを容易に分かるため、クリーニング品の引き取り時に顧客が預かり証であるレシート片３を財布30の中から容易に見つけ出すことができ、よって例えば複数人の顧客が同じ時間帯に引き取りのために来店した場合でも顧客の待ち時間が短く、顧客満足度の向上を図ることができる。
【００４０】
また、顧客は、裏面側の預かり証用表示７を見ることでレシート片３が預かり証であると容易に気付くため、預かり証であるレシート片３を誤って捨ててしまうことを防止できる。
【００４１】
なお、カラー印刷表示部10の色帯状部分11の色は、濃い橙には限定されず、例えば赤色、青色、ピンク色、或いは黄色等でもよい。
【００４２】
また、カラー印刷表示部10の文字部分12は、「クリーニングお預り票」には限定されず、例えば「クリーニング預かり証」、「クリーニング引き換え券」、「預かり証」、或いは「預かり伝票」等でもよい。
【００４３】
さらに、預かり証用表示７は、カラー印刷表示部10ではなく、例えばレシート用紙本体６の裏面における幅方向の両端部に貼り付けられた表示テープ等にて構成されたものでもよい。
【００４４】
また、例えば預かり証用表示７が間隔８を有さずに連続的に設けられた構成でもよく、また、例えば１本の色帯状部分のみからなる預かり証用表示がレシート用紙本体６の裏面における幅方向の両端部にそれぞれ設けられた構成等でもよい。
【００４５】
さらに、注意書用表示15は、必ずしも必要ではなく、例えば預かり証用表示７がレシート用紙本体６の裏面の幅方向両端部のみに設けられた構成等でもよい。
【００４６】
また、レシート用紙１は、ＰＯＳレジスタにセットされるものには限定されず、例えばクリーニング店の外交員が顧客の自宅に訪問してクリーニングを受注する際に使用するハンディターミナル（携帯端末装置）にセットされるもの等でもよい。
【符号の説明】
【００４７】
１    レシート用紙
３    レシート片
６    レシート用紙本体
７    預かり証用表示
10    カラー印刷表示部
11    色帯状部分
12    文字部分
【図１】
2014102552.tif 000003
【図２】
2014102552.tif 000004
【図３】
2014102552.tif 000005
【図４】
2014102552.tif 000006